(57)【要約】【課題】本発明は密封型コンデンサおよびその製造方法を提供する。【解決手段】この密封型コンデンサはアノードワイヤおよび貫通バレルを有するアノード部材と、カソード部材と、第１の開口部を有する第１のケース部と、第２の開口部を有する第２のケース部とを具備してなる。これら第１および第２の開口部は上記貫通バレルと合致するよう形づけられた開口部を形成するようになっている。この第１の開口部は上記貫通バレルを受理するよう形づけられたスロット部を含むものであってもよい。これら第１および第２の開口部はそれぞれ第１および第２の合わせ部を含むものであってもよく、これら第１および第２の合わせ部が上記貫通バレルと合致するよう形づけられる。この密封型コンデンサは更に上記の第１のケース部と第２のケース部との間に配置させた電解液を有する。【選択図】図２C
2014507806.tif 000002
【特許請求の範囲】
【請求項１】
アノードワイヤおよび貫通バレルを有するアノード部材と、
該アノード部材に対し電気的に遠端に位置するカソード部材と、
第１の開口部を有する第１のケース部と、
第２の開口部を有する第２のケース部と、を具備してなり、これら第１および第２の開口部が前記アノード部材およびカソード部材のための外囲器を形成すると共に貫通バレルと合致するよう形づけられた開口部を形成するようになっていることを特徴とする密封型コンデンサ。
【請求項２】
前記第１の開口部が前記貫通バレルを受理するよう形づけられたスロット部を含む請求項１に記載の密封型コンデンサ。
【請求項３】
前記第１および第２の開口部がそれぞれ第１および第２の合わせ部を含み、該第１および第２の合わせ部が前記貫通バレルと合致するよう形づけられた請求項１に記載の密封型コンデンサ。
【請求項４】
前記貫通バレルが円筒状外側面を有し、前記第１および第２の合わせ部がそれぞれ、前記貫通バレルの外側面と合致するよう選択された半丸輪郭と半径を有する請求項３に記載の密封型コンデンサ。
【請求項５】
前記の第１のケース部が第１の深さを有し、前記第２のケース部が第２の深さを有し、前記の第１および第２の合わせ部がそれぞれこれらの第１の深さおよび第２の深さの部分に設置され、前記貫通バレルと合致する開口部を形成するようになっている請求項３に記載の密封型コンデンサ。
【請求項６】
前記の第２のケース部が突起を有し、前記の第２の合わせ部がこの突起内に形成されている請求項３に記載の密封型コンデンサ。
【請求項７】
前記貫通バレルがガラス又はセラミックスから構成されている請求項１に記載の密封型コンデンサ。
【請求項８】
前記アノード部材が保護ラップを有する請求項１に記載の密封型コンデンサ。
【請求項９】
前記の第１のケース部および第２のケース部が密封されている請求項１に記載の密封型コンデンサ。
【請求項１０】
前記の第１のケース部および第２のケース部が互いに溶接されている請求項１に記載の密封型コンデンサ。
【請求項１１】
前記カソード部材を形成する金属部材を更に具備してなる請求項１に記載の密封型コンデンサ。
【請求項１２】
前記金属部材が前記の第１および第２のケース部の少なくとも一方の一部を構成している請求項１１に記載の密封型コンデンサ。
【請求項１３】
前記カソード部材が、貴金属で形成された合金層および貴金属/ベースメタル電極部材層が電気化学的に堆積されてなる金属基板を具備してなる請求項１１に記載の密封型コンデンサ。
【請求項１４】
前記金属基板がバルブ金属から構成されている請求項１１に記載の密封型コンデンサ。
【請求項１５】
前記金属基板がタンタル、ニオブ、ハフニウム、ジルコニウム、チタン又はこれらの合金から構成されてなる請求項１１に記載の密封型コンデンサ。
【請求項１６】
前記の第１のケース部と第２のケース部との間に電解液を更に配置させてなる請求項１に記載の密封型コンデンサ。
【請求項１７】
前記電解液が、水、無機酸（リン酸、ホウ酸）、有機酸（シュウ酸）および有機溶媒を含有してなる請求項１６に記載の密封型コンデンサ。
【請求項１８】
エネルギーを貯蔵し、該貯蔵されたエネルギーの少なくとも80%をパルス送信し得るようになっている請求項１に記載の密封型コンデンサになっている。
【請求項１９】
前記のアノード部材およびカソード部材に電気的に接続された制御回路を更に具備してなり、該制御回路が植込み型除細動器（ICD）として構成されている請求項１に記載の密封型コンデンサ。
【請求項２０】
請求項１に記載の密封されたウエット型電解コンデンサを具備してなることを特徴とする植込み可能な装置。
【請求項２１】
請求項１に記載の密封されたウエット型電解コンデンサを具備してなる植込み型除細動器（ICD）。
【請求項２２】
バッテリーと、
このバッテリーに接続されたプロセッサーと、
これらバッテリー並びにプロセッサーに接続されたコンデンサと、
を具備してなる植込み可能な装置であって、
該コンデンサが、
アノードワイヤおよび貫通バレルを有するアノード部材と、
該アノード部材に対し電気的に遠端に位置するカソード部材と、
第１の開口部を有する第１のケース部および第２の開口部を有する第２のケース部を具備してなり、これら第１および第２の開口部が該貫通バレルと合致するよう形づけられた開口部を形成するようになった密封ケースと、
を具備してなり、
該コンデンサがエネルギーを貯蔵し、該プロセッサーがこの貯蔵されたエネルギーの少なくとも一部のパルス送信を制御し得るようになっていることを特徴とする植込み可能な装置。
【請求項２３】
アノードワイヤおよび貫通バレルを有するアノード部材を用意すること、
該アノード部材に対し電気的に遠端に位置するカソード部材を用意すること、
第１の開口部を有する第１のケース部を形成すること、
第２の開口部を有する第２のケース部を形成し、これにより、これら第１および第２の開口部が該貫通バレルと合致するよう形づけられた開口部を形成すること、
該第１のケース部と該第２のケース部とを密封し前記アノード部材およびカソード部材を囲繞するケースを形成すること、
を具備してなることを特徴とするコンデンサの製造方法。
【請求項２４】
前記第１の開口部にスロット部を形成し、該スロット部により前記貫通バレルを受理するようにした請求項２３に記載の方法。
【請求項２５】
更に、前記第１および第２の開口部にそれぞれ第１および第２の合わせ部を形成し、該第１および第２の合わせ部が前記貫通バレルと合致するようにした請求項２３に記載の方法。
【請求項２６】
それぞれ、前記貫通バレルの外側面と合致するよう選択された半丸輪郭と半径を有する第１および第２の合わせ部を形成することを更に含む請求項２５に記載の方法。
【請求項２７】
前記の第１のケース部が第１の深さを有し、第２のケース部が第２の深さを有し、前記の第１および第２の合わせ部がそれぞれこれらの第１の深さおよび第２の深さの部分に設置され、前記貫通バレルと合致する開口部を形成するようにした請求項２５に記載の方法。
【請求項２８】
前記の第２のケース部に突起を形成し、前記の第２の合わせ部をこの突起内に形成するようにした請求項２３に記載の方法。
【請求項２９】
保護ラップで前記アノード部材を少なくとも部分的に覆うようにした請求項２３に記載の方法。
【請求項３０】
前記の第１および第２のケース部を溶接し、前記ケースを密封するようにした請求項２３に記載の方法。
【請求項３１】
金属基板を用意し、前記カソード部材を形成するようにした請求項１に記載の密封型コンデンサ。
【請求項３２】
前記金属部材が前記の第１および第２のケース部の少なくとも一方の一部を構成するようにした請求項２３に記載の方法。
【請求項３３】
前記カソード部材が、貴金属で形成された合金層および貴金属/ベースメタル電極部材層が電気化学的に堆積されてなる金属基板を具備してなる請求項３２に記載の方法。
【請求項３４】
前記金属基板がバルブ金属から構成されている請求項３２に記載の方法。
【請求項３５】
前記金属基板がタンタル、ニオブ、ハフニウム、ジルコニウム、チタン又はこれらの合金から構成されてなる請求項３２に記載の方法。
【請求項３６】
前記ケースに電解液を少なくとも部分的に充填させることを更に含む請求項２３に記載の方法。
【請求項３７】
前記電解液が、水、無機酸（リン酸、ホウ酸）、有機酸（シュウ酸）および有機溶媒を含有してなる請求項２３に記載の方法。
【発明の詳細な説明】
【関連出願に関する相互参照】
【０００１】
本出願は、２０１１年２月４日に出願された米国特許出願第６１／４３９，６９２号の優先権を主張する出願であり、その全体を援用する出願である。
【技術分野】
【０００２】
本発明はコンデンサに係り、特に、植込み可能な心臓除細動器（implantable cardioverter defibrillators）などの医療用途での使用に適したコンデンサに関する。
【背景技術】
【０００３】
コンデンサは広範な電子機器に使用されている。或る種の用途においては、コンデンサは所定の電圧に急速充電可能であり、一旦充電された際には可なり大きいエネルギーパルスを送信し得ることが要求される。このような用途の一例は植込み可能な装置においてである。このような用途においては、コンデンサはサイズ的にコンパクトであり、信頼性も高いことも重要である。しかし、従来の設計においては、アノード部材などの内部構造のためのケース内部で使用可能なスペースを最大に利用するものとなっていない。従って、同程度の電子的パフォーマンスを達成するには、より大きいケースが必要となる。
【発明の開示】
【発明が解決しようとする課題】
【０００４】
本発明は密封型コンデンサ（hermetically sealed capacitor）およびその製造方法を提供することである。
【課題を解決するための手段】
【０００５】
この密封型コンデンサはアノードリード（anode lead）および貫通バレル（feed through barrel）を有するアノード部材（anode element）と、カソード部材と、第１の開口部を有する第１のケース部と、第２の開口部を有する第２のケース部とを具備してなる。これら第１および第２の開口部は上記貫通バレルと合致するよう形づけられた開口部を形成するようになっている。この第１の開口部は上記貫通バレルを受理するよう形づけられたスロット部を含むものであってもよい。これら第１および第２の開口部はそれぞれ第１および第２の合わせ部を含むものであってもよく、これら第１および第２の合わせ部が上記貫通バレルと合致するよう形づけられる。
【０００６】
上記貫通バレルは円筒状外側面（a round outer surface）を有するものでもよく、上記第１および第２の合わせ部はそれぞれ、上記貫通バレルの外側面と合致するよう選択された半丸輪郭と半径（half round profile and a radius）を有するものでもよい。上記の第１のケース部および第２のケース部は互いに密封的に封止することができる。上記の第１のケース部は第１の深さを有し、第２のケース部は第２の深さを有し、上記の第１および第２の合わせ部がそれぞれ第１の深さおよび第２の深さの部分に配置され、上記貫通バレルと合致する開口部を形成するようになっている。第２のケース部は突起（protrusion）を有し、第２の合わせ部がこの突起内に形成されていてもよい。上記貫通バレルはガラス又はセラミックスからなるものでもよい。
【０００７】
アノード部材は保護ラップを有するものでもよい。上記の第１のケース部および第２のケース部は溶接などの従来の方法で結合させることができる。この密封型コンデンサは更にカソード部材を形成する金属基板を有するものとすることができる。この金属基板は上記第１および第２のケース部の少なくとも一方の一部であってもよい。この金属基板は、貴金属で形成された合金層および貴金属/ベースメタル電極部材層が電気化学的に堆積されたものからなるものであってもよい。この金属基板はバルブ金属からなるものであってもよい。この金属基板（metal substrate）はタンタル、ニオブ、ハフニウム、ジルコニウム、チタン又はこれらの合金からなるものであってもよい。
【０００８】
この密封型コンデンサには更に上記の第１のケース部と第２のケース部との間に配置させた電解液が含まれる。この電解液は、水、無機酸（リン酸、ホウ酸）、有機酸（シュウ酸）および有機溶媒を有するものとすることができる。この密封型コンデンサはエネルギーを蓄え、この蓄えられたエネルギーの少なくとも80%のパルス送信を提供するものとなる。
【０００９】
植込み型除細動器（ICD）などの植込み可能な装置は、密封されたウエット型電解コンデンサを使用するような形状をなしている。この植込み可能な装置にはバッテリー、このバッテリーに接続されたプロセッサー、およびこれらバッテリー並びにプロセッサーに接続されたコンデンサが含まれる。このコンデンサには、アノードリードおよび貫通バレルを有するアノード部材と、カソード部材と、第１の開口部を有する第１のケース部と、第２の開口部を有する第２のケース部とを含む密封ケースが含まれ、これら第１および第２の開口部は上記貫通バレルと合致するよう形づけられた開口部を形成するようになっている。このコンデンサはエネルギーを蓄えるよう構成され、このプロセッサーは蓄えられたエネルギーの少なくとも一部のパルス送信を制御するよう構成されている。
【図面の簡単な説明】
【００１０】
【図１Ａ】第1の実施例に係わる密封型コンデンサの端面図。
【図１Ｂ】図１Aに示す密封型コンデンサのA-A線に沿う縦断面図。
【図１Ｃ】アノード部材の設置を示す密封型コンデンサの縦断面図。
【図１Ｄ】ポリマークレードルの設置を示す密封型コンデンサの縦断面図。
【図２Ａ】第２の実施例に係わる密封型コンデンサの端面図。
【図２Ｂ】第２のケース部の他の具体例を示す端面図。
【図２Ｃ】アノード部材の設置を示す密封型コンデンサの縦断面図。
【図２Ｄ】組立てられた密封型コンデンサの端面図。
【図２Ｅ】密封型コンデンサの縦断面図。
【図３】植込み型除細動器内における図２A〜図２Eに示すコンデンサのブロック図。
【図４】コンデンサの製造方法を示すフロー図。
【発明を実施するための形態】
【００１１】
以下、本発明を特定の具体例に基づいて説明する。ここに示すものは単に説明および具体例を目的とするものであり、当業者であれば本発明は他の選択、置換およびバリエーションを容易に理解し得るであろう。
【００１２】
図１Aは第1の実施例に係わる密封型コンデンサ10の端面図である。このコンデンサは第１のケース部12と、第２のケース部14とを有する。これら第１のケース部12および第２のケース部14は溶接16などの従来法を介して互いに接合させることができる。第１のケース端部18には開口部20が形成され、これが貫通バレル22を受理するよう形づけられている。この貫通バレル22は第１のケース部12に全体的に封着され、アノードワイヤ24と第１のケース部12との間の電気的絶縁を提供している。
【００１３】
図１Bは図１Aに示す密封型コンデンサ10のA-A線に沿う縦断面図である。このコンデンサ10は、アノードワイヤ24を備えたアノード部材26を具備してなる。このアノード部材26は種々の方法で構築することができ、保護ラップ28を有するものとしてもよい。アノードワイヤ24は貫通バレル22を解して第１のケース部12から絶縁されている。この貫通バレル22はガラス絶縁体30を有するものでもよい。ポリマークレードル32は、アノード部材26と第１のケース部12との間の未使用空間を満たすのに使用されている。このポリマークレードル32は種々の方法で形成することができる。
【００１４】
図１Cはアノード部材26の設置を示す密封型コンデンサ10の縦断面図である。この設置の間において、アノード部材26は第１のケース部12の底部との関連で或る角度を以って大略的に配置される。貫通バレル22およびアノードワイヤ24は、第１のケース部12内の開口部20に挿入される。ついで、アノード部材26を第１のケース部内に枢動させ、貫通バレル22が上記開口部20に受理されるようにする。この第１のケース部にはギャップ34が設けられていて、アノード部材26の挿入の間における隙間を提供するようになっている。図１Dはアノード部材26と第１のケース部12との間のギャップ34を満たすようにポリマークレードル32を設置する様子を示す縦断面図10である。
【００１５】
図２Aは第２の実施例に係わる密封型コンデンサ100の端面図である。このコンデンサ100は第１のケース部112と、第２のケース部114とを有する。これら第１のケース部112および第２のケース部114は例えば溶接、接着、ロウ付けなどの従来法を介して互いに接合させることができる。第１のケース部112および第２のケース部114は双方とも、アノードワイヤ124および貫通バレル122のための開口部を画成するよう形づけられている。第１のケース部112は、第1の開口部152を含む端部118を有する。
【００１６】
この第1の開口部152はアノード部材の直線的挿入を許容するよう形づけられている（例えば、第1のケース部112との関係でアノードを回転させる必要なく）。この実施例において、第1の開口部152は一般にスロット部160および第1の合わせ部162を有している。この第1の合わせ部162は第1の深さ170に配置されている。この実施例において、この第1の合わせ部162は半丸形状をなし、その半径は円形の貫通バレルと合致するよう選択されている。なお、これら形状に関し、本発明の開示範囲から逸脱することなく、他の形状を採用し得ること（例えば、貫通バレルの輪郭に応じて）を理解されるべきである。
【００１７】
第２のケース部114は、第2の深さ172に位置する第2の開口部154と共に形成された端部115を有する。この第2の開口部154は更に突起164内に形成された第2の合わせ部166を備えている。この実施例において、第2の合わせ部166は半丸形状（half round shape）をなし、その半径は円形の貫通バレルと合致するよう選択されているものとして概略的に示されている。上述のように、これら形状に関し、本発明の開示範囲から逸脱することなく、他の形状を採用し得ること（例えば、貫通バレルの輪郭に応じて）を理解されるべきである。これら第1のケース部112および第２のケース部114は全体的に互いに接合されコンデンサケース117（例えば、図２D参照）を形成するものと理解されるべきである。第1の深さ170および第2の深さ172は、第1の合わせ部162および第2の合わせ部166が共同して貫通バレルのための開口部を画成するよう選択される。
【００１８】
図２Bは第２のケース部214の他の形状を示している。この第２のケース部214は第2の深さ272に位置する第2の開口部254と共に形成された端部215を有する。この第2の開口部254は更に第2の合わせ部266を備えている。このケース端部215は、そこに第2の合わせ部266が形成され得るような十分な深さを以って形成されている（例えば、突起を必要としない）。この実施例において、第2の合わせ部266は半丸形状をなし、その半径は円形の貫通バレルと合致するよう選択されているものとして概略的に示されている。上述のように、これら形状に関し、本発明の開示範囲から逸脱することなく、他の形状を採用し得ること（例えば、貫通バレルの輪郭に応じて）を理解されるべきである。ケース端部の形状については、本発明の開示範囲から逸脱することなく、第1の合わせ部と第2の合わせ部とを正しく配置させるための様々な形状を採用することが可能であることを理解されるべきである。
【００１９】
図２Cはアノード部材126の設置を示す密封型コンデンサ100の縦断面図である。この設置の間において、アノード部材126は第１のケース部112内に直線的に挿入される。貫通バレル122およびアノードワイヤ124は、傾斜挿入又は何らかの枢動動作を必要とせずに第1の開口部152内に挿入することができる。アノード部材126が直線的に挿入されるので、第１のケース部112はアノード部材126の形状に合致した形状とすることができる。つまり、アノード部材126と第１のケース部112との間の大きなギャップを必要としなくなる。このように僅かな隙間が必要となるに過ぎないので、ポリマークレードルを用いて第１のケース部112とアノード部材126との間のギャップを満たす必要はなくなる。その結果、より大きいアノード部材126を第１のケース部112内に挿入することができる。
【００２０】
図２Dは組立てられた密封型コンデンサ100の端面図である。図２EはそのB-B線に沿う密封型コンデンサ100の縦断面図である。第1の合わせ部162と第2の合わせ部166（first and second mating portions 162, 166）とが提携してコンデンサケース117内に開口部220を概して形成するようになっている。この実施例において、開口部220は円形状をなし、その半径は円形の貫通バレル122と合致するよう選択される。これら第１のケース部112および第２のケース部114（the first and second case portions 112, 114）は上述のような従来法（図２Eに示すような溶接部116）を介して、第１のケース部112および第２のケース部114の連結部にて互いに接合させることができる（図２E）。第１のケース部112と第２のケース部114との間の連結部全体に亘って封止することができることを理解されたい。貫通バレル122はこれら第１のケース部112および第２のケース部114に対してほぼ封止され、アノードリード124と、第１および第２のケース部の112、114との間の電気的絶縁を提供している。
【００２１】
アノード部材126は保護ラップ128を有するものとしてもよい。貫通バレル122はガラス絶縁体130を有するものとしてもよい。アノード部材126はナトリウム還元コンデンサグレードタンタル粉を5.0〜7.0g/ccのグリーン密度（green density）にプレスし、これを1450℃〜1650℃の範囲で真空焼結したものからなるものでもよい。これら粉体、プレスおよび焼結の条件については、必要とする所望のコンデンサを得るべく種々変更することができる。アノード部材126の形成は、所望の酸化物の厚みに必要な電圧を維持することができる電解質内でなすことができる。
【００２２】
コンデンサ100は種々のケース形状のものとすることができる。例えば四角形、円形、半円形などであるが、これらに限定されない。コンデンサ100は一般にアノード端子又はアノードワイヤ124並びにカソード端子182を有している。電解液180は密封されたケース112,114内に配置され、カソード部材127およびアノード部材126の双方を囲むようにする。
【００２３】
電解液180は、脱イオン（DI）水、有機酸、無機酸および有機溶媒を含むゲルを含むものでよい。電解液180の構成成分は種々の濃度で混合させ、10〜60mS/cmの間の好ましい範囲内の導電性を提供させることができる。このような電解液180の好ましい一例は以下の通りである：
65〜80％のDI水；
0.2〜0.6％の燐酸；
15〜30％のエチレングリコール；
3〜6％のしゅう酸；
2〜4％のホウ酸。
【００２４】
図２Eを参照すると、カソード部材127は種々の方法で形成することができる。例えば、カソード部材127は貴金属で形成された合金層および金属塩の溶液からこの合金層表面に電気化学的に堆積された貴金属/ベースメタル電極部材層からなる金属基板から形成することができる。カソード180の1設計例は、Ti-Pd合金上に電気化学的に堆積されたPdおよびCuの混合物である。合金化基板に対するカソード180の付着強度を増大させるため、Pd-Cuの最初の平滑なフィルムを粘着層として電着させてもよい。ついで、この粘着層の上面に強靭な高表面積層を堆積させ、高キャパシタンスカソード180を達成させる。
【００２５】
カソード180の金属基板はバルブ金属で形成してもよい。このようなバルブ金属の例は、タンタル、ニオブ、ハフニウム、バナジウム、ジルコニウム、チタン又はこれらの合金である。この金属基板は任意の形状、構成のもの、例えば平面状、円筒状などであってよい。更に、この金属基板は任意の適当な形状の直線状のもの、あるいはコンデンサケース112,114の一部を表すものであってもよい。このようなカソード部材127の構造は高いカソードキャパシタンスをもたらし、これがコンデンサ100内に蓄えられたエネルギーを負荷に対して効率的に放出させるのを助けることになる。
【００２６】
図３は植込み型除細動器（ICD）装置300の一例を示している。このICD装置300は図１A〜図１D又は図２A〜図２Eに示すコンデンサ100と、制御回路302とを有しており、この制御回路302はコンデンサ100のアノード端子124およびカソード端子182に電気的に接続されている。更に、ICD装置300は検出器304およびバッテリー306を有するものでもよい。コンデンサ100は、第１の端子124と第２の端子182との間に蓄えられたエネルギーの少なくとも80％（好ましくは87％を超える）のパルス送信を提供するよう構成されている。上記検出器304は患者の症状をモニターし、そのモニターしたデータを制御回路302に提供するようになっている。この検出器304は簡潔のため単一の部材として示されている。しかし、複数の検出器、モニター装置又は検出器リード線を制御回路302に供給して、この制御回路302に患者の症状を提供し得ることは当業者であれば理解し得るであろう。制御回路302は検出器からの情報をモニターし、異常又は危機的症状（これは1つ又はそれ以上の所定の閾値を超え他1又はそれ以上の所定のパラメータとして定義することができる）を検出したとき、電気ショックの放出を開始する。
【００２７】
例示として、検出器304は患者の心臓内の電気的活動を検出し、得られたデータを制御回路302に送る。制御回路304がこの電気的活動をモニターし、もしもそれが或る電気的閾値より下に低下したとき、又はもしもこの電気的活動が不規則であった場合（不整脈で起こりえる）は、電気ショックの放出を開始する。
【００２８】
バッテリー306はコンデンサ100を充電し、ICD装置300に電力を供給するのに用いられる。コンデンサ100に対する充電は、一定でよく（充電漏れの作用に対抗するため）、それによりコンデンサ100は常に即座の放電に備えられるようにしたり、あるいは充電を定期的としたり（すなわち、コンデンサ100の充電レベルを所定の閾値以上に保つため所定の間隔で充電する）、あるいは充電を要求時にし、異常の発生が検出されたときにバッテリー306を用いてコンデンサを充電する。
【００２９】
ICD装置300の適用において、制御回路302が患者の異常又は危機的症状を検出したとき、コンデンサ100は患者の心臓に対し電気ショック療法の機能を実行する。コンデンサ100は所定電圧までの急速充電を提供することができ、その後、十分なエネルギーの1又はそれ以上のパルスを送信し患者の心臓の正常な機能を回復させる。
【００３０】
図３に示すコンデンサ100は本質的に効率的であり、極めてコンパクトであり、ICD装置300内の制約された容積内にフィットするよう形づけることができる。1例として、コンデンサ100のサイズは1.5〜3.0ccであり、図３に示すような半月形のものからなる。しかし、これは本発明を制限するものと考えてはならない。コンデンサ100は、それが植込まれるヒトによって要求される特定の形状にフィットするよう任意のサイズおよび形状に合わせることができるものと理解されるべきである。
【００３１】
ICD装置300の適用をサポートするため、コンデンサ100は要求に応じて9Jの最小値を供給することができる（但し、12Jの大きいものをも供給することができる）。実際に放出されるエネルギー量は制御回路302により決定される。
【００３２】
図４はコンデンサの製造方法400を示すフロー図である。この方法400は、ステップ410でアノードワイヤおよび貫通バレルを有するアノード部材を用意すること、ステップ420でカソード部材を用意すること、ステップ430で第１の開口部を有する第１のケース部を形成すること、ステップ440で第２の開口部を有する第２のケース部を形成し、これにより、これら第１および第２の開口部が該貫通バレルと合致するよう形づけられた開口部を形成すること、更に、該第１のケース部と該第２のケース部とを密封し前記アノードおよびカソード部材を囲繞するケースを形成することが含まれる。この際の密封には、第１および第２のケース部を溶接し、これらケースを密封することが含まれる。形成されたケースには電解液が少なくとも部分的に充填される。
【００３３】
方法400には、第１の開口部にスロット部を形成し、該スロット部により貫通バレルを受理するようにすることが含まれる。方法400には、前記第１および第２の開口部にそれぞれ第１および第２の合わせ部を形成し、該第１および第２の合わせ部が前記貫通バレルと合致するようにすることが含まれる。方法400には、前記貫通バレルの外側面と合致するよう選択された半丸輪郭と半径を有する第１および第２の合わせ部を形成することが更に含まれる。更に、方法400には、第２のケース部に突起を形成し、前記の第２の合わせ部をこの突起内に形成するようにすることが含まれる。方法400には、保護ラップで前記アノード部材を少なくとも部分的に覆うようにすることが含まれる。
【００３４】
以上、密封されたウエット型電解コンデンサについて説明した。しかし、本発明はここに示し、記載した特定の具体例に制限されるものではなく、コンデンサのサイズ、形状について種々の変形例、使用される物質の変形例、その他、当業者にとって自明な他の変形、代替、選択も本発明の考慮の範疇にあることを理解されるべきである。
【符号の説明】
【００３５】
10    密封型コンデンサ
12    第１のケース部
14    第２のケース部
16    溶接
18    第１のケース端部
20    開口部
22    貫通バレル
24    アノードワイヤ
26    アノード部材
28    保護ラップ
30    ガラス絶縁体
32    ポリマークレードル
34    ギャップ
100    密封型コンデンサ
112    第１のケース部
114    第２のケース部
115    端部
116    溶接部
117    コンデンサケース
118    端部
122    貫通バレル
124    アノードワイヤ
126    アノード部材
127    カソード部材
128    保護ラップ
130    ガラス絶縁体
152    第１の開口部
154    第2の開口部
160    スロット部
162    第1の合わせ部
164    突起
166    第2の合わせ部
170    第1の深さ
172    第2の深さ
180    電解液
182    カソード端子
214    第2のケース部
215    ケース端部
254    開口部
266    第2の合わせ部
272    第2の深さ
300    植込み型除細動器（ＩＣＤ）装置
302    制御回路
304    検出器
306    バッテリー
【図１Ａ】
2014507806.tif 000003
【図１Ｂ】
2014507806.tif 000004
【図１Ｃ】
2014507806.tif 000005
【図１Ｄ】
2014507806.tif 000006
【図２Ａ】
2014507806.tif 000007
【図２Ｂ】
2014507806.tif 000008
【図２Ｃ】
2014507806.tif 000009
【図２Ｄ】
2014507806.tif 000010
【図２Ｅ】
2014507806.tif 000011
【図３】
2014507806.tif 000012
【図４】
2014507806.tif 000013
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
アノードワイヤおよび貫通バレルを有するアノード部材と、
該アノード部材に対し電気的に遠端に位置するカソード部材と、
第１の開口部を有する第１のケース部であって、該第１のケース部内に前記アノードが配置され、該第１のケース部を前記アノード部材の形状と密に合致させるようにしたものと、
第２の開口部を有する第２のケース部と、を具備してなり、これら第１および第２の開口部が前記アノード部材およびカソード部材のための外囲器を形成すると共に貫通バレルと合致するよう形づけられた開口部を形成するようになっている密封型コンデンサであって;
該貫通バレルが前記の第１のケース部および前記第２のケース部に封止されていることを特徴とする密封型コンデンサ。
【請求項２】
前記第１の開口部が前記貫通バレルを受理するよう形づけられたスロット部を含む請求項１に記載の密封型コンデンサ。
【請求項３】
前記第１および第２の開口部がそれぞれ第１および第２の合わせ部を含み、該第１および第２の合わせ部が前記貫通バレルと合致するよう形づけられた請求項１に記載の密封型コンデンサ。
【請求項４】
前記貫通バレルが円筒状外側面を有し、前記第１および第２の合わせ部がそれぞれ、前記貫通バレルの外側面と合致するよう選択された半丸輪郭と半径を有する請求項３に記載の密封型コンデンサ。
【請求項５】
前記の第１のケース部が第１の深さを有し、前記第２のケース部が第２の深さを有し、前記の第１および第２の合わせ部がそれぞれこれらの第１の深さおよび第２の深さの部分に設置され、前記貫通バレルと合致する開口部を形成するようになっている請求項３に記載の密封型コンデンサ。
【請求項６】
前記の第２のケース部が突起を有し、前記の第２の合わせ部がこの突起内に形成されている請求項３に記載の密封型コンデンサ。
【請求項７】
前記貫通バレルがガラス又はセラミックスから構成されている請求項１に記載の密封型コンデンサ。
【請求項８】
前記アノード部材が保護ラップを有する請求項１に記載の密封型コンデンサ。
【請求項９】
前記の第１のケース部および第２のケース部が密封されている請求項１に記載の密封型コンデンサ。
【請求項１０】
前記の第１のケース部および第２のケース部が互いに溶接されている請求項１に記載の密封型コンデンサ。
【請求項１１】
前記カソード部材を形成する金属部材を更に具備してなる請求項１に記載の密封型コンデンサ。
【請求項１２】
前記金属部材が前記の第１および第２のケース部の少なくとも一方の一部を構成している請求項１１に記載の密封型コンデンサ。
【請求項１３】
前記カソード部材が、貴金属で形成された合金層および貴金属/ベースメタル電極部材層が電気化学的に堆積されてなる金属基板を具備してなる請求項１１に記載の密封型コンデンサ。
【請求項１４】
前記金属基板がバルブ金属から構成されている請求項１１に記載の密封型コンデンサ。
【請求項１５】
前記金属基板がタンタル、ニオブ、ハフニウム、ジルコニウム、チタン又はこれらの合金から構成されてなる請求項１１に記載の密封型コンデンサ。
【請求項１６】
前記の第１のケース部と第２のケース部との間に電解液を更に配置させてなる請求項１に記載の密封型コンデンサ。
【請求項１７】
前記電解液が、水、無機酸（リン酸、ホウ酸）、有機酸（シュウ酸）および有機溶媒を含有してなる請求項１６に記載の密封型コンデンサ。
【請求項１８】
エネルギーを貯蔵し、該貯蔵されたエネルギーの少なくとも80%をパルス送信し得るようになっている請求項１に記載の密封型コンデンサになっている。
【請求項１９】
前記のアノード部材およびカソード部材に電気的に接続された制御回路を更に具備してなり、該制御回路が植込み型除細動器（ICD）として構成されている請求項１に記載の密封型コンデンサ。
【請求項２０】
請求項１に記載の密封されたウエット型電解コンデンサを具備してなることを特徴とする植込み可能な装置。
【請求項２１】
請求項１に記載の密封されたウエット型電解コンデンサを具備してなる植込み型除細動器（ICD）。
【請求項２２】
バッテリーと、
このバッテリーに接続されたプロセッサーと、
これらバッテリー並びにプロセッサーに接続されたコンデンサと、
を具備してなる植込み可能な装置であって、
該コンデンサが、
アノードワイヤおよび貫通バレルを有するアノード部材と、
該アノード部材に対し電気的に遠端に位置するカソード部材と、
第１の開口部を有する第１のケース部および第２の開口部を有する第２のケース部を具備してなり、これら第１および第２の開口部が該貫通バレルと合致するよう形づけられた開口部を形成するようになった密封ケースと、
を具備してなり、
該コンデンサがエネルギーを貯蔵し、該プロセッサーがこの貯蔵されたエネルギーの少なくとも一部のパルス送信を制御し得るようになっていることを特徴とする植込み可能な装置。
【請求項２３】
アノードワイヤおよび貫通バレルを有するアノード部材を用意すること、
該アノード部材に対し電気的に遠端に位置するカソード部材を用意すること、
第１の開口部を有する第１のケース部を形成すること、
第２の開口部を有する第２のケース部を形成し、これにより、これら第１および第２の開口部が該貫通バレルと合致するよう形づけられた開口部を形成すること、
該第１のケース部と該第２のケース部とを密封し前記アノード部材およびカソード部材を囲繞するケースを形成すること、
を具備してなることを特徴とするコンデンサの製造方法。
【請求項２４】
前記第１の開口部にスロット部を形成し、該スロット部により前記貫通バレルを受理するようにした請求項２３に記載の方法。
【請求項２５】
更に、前記第１および第２の開口部にそれぞれ第１および第２の合わせ部を形成し、該第１および第２の合わせ部が前記貫通バレルと合致するようにした請求項２３に記載の方法。
【請求項２６】
それぞれ、前記貫通バレルの外側面と合致するよう選択された半丸輪郭と半径を有する第１および第２の合わせ部を形成することを更に含む請求項２５に記載の方法。
【請求項２７】
前記の第１のケース部が第１の深さを有し、第２のケース部が第２の深さを有し、前記の第１および第２の合わせ部がそれぞれこれらの第１の深さおよび第２の深さの部分に設置され、前記貫通バレルと合致する開口部を形成するようにした請求項２５に記載の方法。
【請求項２８】
前記の第２のケース部に突起を形成し、前記の第２の合わせ部をこの突起内に形成するようにした請求項２３に記載の方法。
【請求項２９】
保護ラップで前記アノード部材を少なくとも部分的に覆うようにした請求項２３に記載の方法。
【請求項３０】
前記の第１および第２のケース部を溶接し、前記ケースを密封するようにした請求項２３に記載の方法。
【請求項３１】
金属基板を用意し、前記カソード部材を形成するようにした請求項１に記載の密封型コンデンサ。
【請求項３２】
前記金属部材が前記の第１および第２のケース部の少なくとも一方の一部を構成するようにした請求項２３に記載の方法。
【請求項３３】
前記カソード部材が、貴金属で形成された合金層および貴金属/ベースメタル電極部材層が電気化学的に堆積されてなる金属基板を具備してなる請求項３２に記載の方法。
【請求項３４】
前記金属基板がバルブ金属から構成されている請求項３２に記載の方法。
【請求項３５】
前記金属基板がタンタル、ニオブ、ハフニウム、ジルコニウム、チタン又はこれらの合金から構成されてなる請求項３２に記載の方法。
【請求項３６】
前記ケースに電解液を少なくとも部分的に充填させることを更に含む請求項２３に記載の方法。
【請求項３７】
前記電解液が、水、無機酸（リン酸、ホウ酸）、有機酸（シュウ酸）および有機溶媒を含有してなる請求項２３に記載の方法。
【国際調査報告】
2014507806.tif 000014
2014507806.tif 000015
2014507806.tif 000016
2014507806.tif 000017
2014507806.tif 000018